(57)【要約】【課題】含水地層（砂層）を有する軟弱地盤に住宅を建築する際の基礎構造の構築において、地盤改良に効果的で且つ無振動工事となる構築手段を提供する。【解決手段】長尺箱型で内部に供給管を内装して下端部に放出口を設けた押入杭体１を、建築しようとする住宅の基礎外周縁位置に合わせて、供給管に高圧空気を供給して放出口から高圧空気を噴射しながら地面中に押入して、複数の押入杭体で壁面を構築すると共に、前記押入杭体を引き抜きながら供給管から生コンクリートＤを供給し、押入杭体の押し込み並びに引き抜きを順次繰り返しながら住宅の基礎外周縁位置に対応する地中壁を構築し、前記地中壁上に通常の住宅基礎を構築してなる。【選択図】  図３
2004324070.tif 000002
【特許請求の範囲】
【請求項１】
長尺箱型で内部に供給管を内装して下端部に放出口を設けた押入杭体を、建築しようとする住宅の基礎外周縁位置に合わせて、供給管に高圧空気を供給して放出口から高圧空気を噴射しながら地面中に押入して、複数の押入杭体で壁面を構築すると共に、前記押入杭体を引き抜きながら供給管から生コンクリートを供給し、押入杭体の押し込み並びに引き抜きを順次繰り返しながら住宅の基礎外周縁位置に対応する地中壁を構築し、前記地中壁上に通常の住宅基礎を構築してなることを特徴とする住宅用基礎構築工法。
【請求項２】
住宅の基礎外周縁位置に対応する地中壁を構築すると共に、押入杭体を前記地中壁内方位置で押入し、引き抜きに際して供給管から砂を供給して砂柱を構築してなる請求項１記載の住宅用基礎構築工法。
【発明の詳細な説明】
【０００１】
【産業上の利用分野】
本発明は特に含水地層（砂層）を有する軟弱地盤に住宅を建築する際の基礎構造及びその構築工法に関するものである。
【０００２】
【従来の技術】
軟弱地盤に住宅を建築する場合には、地盤沈下を抑制するための地盤改良工事が施される。この地盤改良手段としては、表層地盤を掘削して固化材と攪拌混合し、転圧して締め固める表層改良工法や、単管（金属管）を地中に打ち込んだり、オーガで垂直孔を掘削し、セメント系の改良材を垂直孔に注入固化して柱状体を構築する柱状地盤工法などが知られている。
【０００３】
しかし地中に含水層（砂層）が存在し砂層中の地下水の移動で地盤沈下が生ずるような場合には、前記の表層改良工法や柱状地盤工法では、対応できない。
【０００４】
また地盤改良手段として、周囲を囲繞した垂直囲繞壁（連壁）を軟弱地盤内に構築し、その垂直囲繞壁の上面開口部を塞ぐ箱形構造の基礎を構築する地盤改良手段も知られている。この箱型基礎構造は、垂直囲繞壁により構造物下地盤の側方流動を阻止して構造物の沈下を抑制できる点、構造物荷重を土中に分散させて荷重の増分を軽減すると共に、荷重の地盤への伝達位置を下げて圧密粘土層の厚さを減少することにより圧密沈下量を減じることができる点、垂直囲繞壁の摩擦力により支持力増加を図ると同時に、垂直囲繞壁と床版で囲まれた内部の土を一体とし、根入れを有する基礎として機能させて支持力の増加を図ることができる点等の効果が得られるものである。
【０００５】
そして前記箱形基礎構造の構築手段として、垂直囲繞壁を杭と板壁材とを連結して形成する工法が提案されている（特許文献１）。
【０００６】
【特許文献１】
特開２００３−３４９１号公報。
【０００７】
【発明が解決しようとする課題】
前記の特許文献１記載の垂直囲繞壁の構築は、箱形基礎を前提としているが、砂層地盤においては、砂層地盤を貫通遮断する垂直囲繞壁（連壁）を備えるものであれば充分であり、特に箱形構造とする必要はない。更に連壁の水密性に欠け、連壁地下構造の利点が生かされない。
【０００８】
そして杭体と板壁体の打ち込みには大きな力が必要となり、特に砂層の抵抗が大きい。このために機械の大型化が必要となり住宅密集地での工事が困難である。また打ち込みに際しての振動の発生は、近隣住宅への影響が出るので、実施の地域が制限される。
【０００９】
そこで本発明は、砂層を有する地盤において、無振動で、且つ工事がしやすく効果的な住宅基礎の構築手段を提案したものである。
【００１０】
【課題を解決する手段】
本発明に係る住宅用基礎構築工法は、長尺箱型で内部に供給管を内装して下端部に放出口を設けた押入杭体を、建築しようとする住宅の基礎外周縁位置に合わせて、供給管に高圧空気を供給して放出口から高圧空気を噴射しながら地面中に押入して、複数の押入杭体で壁面を構築すると共に、前記押入杭体を引き抜きながら供給管から生コンクリートを供給し、押入杭体の押し込み並びに引き抜きを順次繰り返しながら住宅の基礎外周縁位置に対応する地中壁を構築し、前記地中壁上に通常の住宅基礎を構築してなることを特徴とするものである。
【００１１】
従って高圧空気を噴射しながら押入杭体を地盤中に押入すると、無振動でしかも砂層の含有地下水を吹き飛ばしながらの押し込みとなり、そして引き抜き時の生コン注入に際しては、地下水を排除しているので、生コンの滲み出しが少なく効率的な連壁が構築できる。
【００１２】
地下連壁が構築されると、連壁内の砂層の地下水が連壁内に閉じこめられて、砂層の土砂移動が阻止されるので、土砂移動による地盤沈下が防止される。
【００１３】
また本発明（請求項２）は、更に住宅の基礎外周縁位置に対応する地中壁を構築すると共に、押入杭体を前記地中壁内方位置で押入し、引き抜きに際して供給管から砂を供給して砂柱を構築してなるものである。
【００１４】
従って連壁で囲繞された内側の砂層の地下水は、砂層上方の地盤重量で砂柱を通して地表側に押し出され、砂層の地下水が減少して地盤が締め固められることになる。
【００１５】
【実施の形態】
次に本発明の実施の形態について説明する。本発明工法に使用する押入杭体１の構造は、端面が１５×５ｃｍ（２５〜１０×４〜８ｃｍ程度）で、長さが６ｍ程度の角筒状の杭本体１１内に、直径２５ｍｍ（２１〜３０ｍｍ程度）の供給管１２を、杭本体内を上下貫通させて設けると共に、上部側方に連結部１３を設け、杭本体１１の下端に放出口１４を設けたものである。
【００１６】
本発明の工法は、前記の押入杭体１を複数本と、押入杭体１の圧入機構（押入杭体１のガイド２と、ガイド２に添って上下動するウエイト３と、ガイド２を支持するユンボ等の機体４と、ウエイト３の上下駆動を行うウインチ５と、高圧空気を供給するコンプレッサー６と、生コンを供給するコンクリートポンプ７とを必要とする。
【００１７】
地盤内に構築する連壁Ａは、少なくとも建築しようとする建物基礎の外周縁に添って形成され、必要に応じて住宅基礎の形状に合致するように形成される。
【００１８】
連壁Ａの構築は、前記の所定位置に押入杭体１を押し込むことから開始する。この押し込み作業は、機体４でガイド２を所定位置に直立させ、ガイド２に装着した押入杭体１にウエイト３を荷重として加え、更に必要に応じてウインチ５の駆動でウエイト３を鉛直方向に引っ張り、押入杭体１に地盤への食い込み押圧力を付与する。同時に連結部１３にコンプレッサー６を連結して、放出口１４から高圧空気を噴射して土砂を押し分けるようにすることで、押入杭体１を無振動に所定深さまで押し入れる。
【００１９】
特に問題となる砂層Ｂを通過する場合には、前記の空気噴射により地下水の拡散と同時に砂も排除することになるので、砂層Ｂの貫通圧入は容易に行うことができる。
【００２０】
複数の押入杭体１を、構築すべき連壁Ａの位置に横列状態で押し込むと、端部（先に押入した）の押入杭体１を引き抜くもので、この引き抜き前に、連結部１３にコンクリートポンプ７からの生コン供給管を連結し、引き抜き作業と同時に生コンＣを放出口１４から放出し、押入杭体１が引き抜かれて残った空間に生コンを供給するものである。
【００２１】
この生コンは、供給管１２を通過できるように小さい砂利を使用したものでなければならない。そして引き抜かれた押入杭体１は、他方端部に縦列状態で新たに地盤押入に供する。前記の杭体押入、生コン注入の杭体引き抜きを順次繰り返すことで、基礎外周形状に対応する形状のコンクリート壁（連壁）が構築されるものである。特に生コンＣは、砂層Ｂ部分の地下水が拡散されているので、砂層Ｂへの浸透が少なく、生コンの無駄を防ぐことができる。
【００２２】
また必要に応じて前記の連壁Ａに連続して、建築すべき家屋の基礎形状に対応する内側地下壁を構築しても良い。
【００２３】
前記の地下の連壁Ａが構築されると、通常の住宅基礎Ｄを常法手段で構築し、当該基礎上に家屋の建築を行うもので、地下数メートル部分に地下水を多く含んだ砂層Ｂが存在していたとしても、連壁Ａで家屋建築範囲内では当該砂層Ｂが遮断され、地下水の移動がないので、家屋の荷重によって砂層Ｂに負荷が加わっても当該砂層Ｂが流動することがないので地盤沈下の虞が無くなる。
【００２４】
また前記の地下連壁の構築に際して、連壁Ａの内側において、適宜箇所に押入杭体１を押し込み、引き抜きに際して、生コンに代えて砂を注入すると、地盤中に砂柱Ｅが形成されることになる。
【００２５】
このように連壁Ａの内方に砂柱Ｅが構築されると、連壁Ａで囲繞された内側の砂層Ｂの地下水は、砂層上方の地盤重量で砂柱Ｅを通して地表側に押し出され、砂層Ｂの地下水が減少して地盤が締め固められることになる。
【００２６】
尚連壁の深さや厚さは、当該地盤状態によって任意に定められるものであり、当該大きさに対応した押入杭体を採用するものである。
【００２７】
【発明の効果】
以上の通り本発明は、長尺箱型で内部に供給管を内装して下端部に放出口を設けた押入杭体を、建築しようとする住宅の基礎外周縁位置に合わせて、放出口から高圧空気を噴射しながら地面中に押入して、複数の押入杭体で壁面を構築すると共に、前記押入杭体を引き抜きながら生コンクリートを供給して基礎外周縁位置に対応する地中壁（連壁）を構築し、この連壁上に通常の住宅基礎を構築してなる基礎構築工法で、大型工事用機械を必要とせずに無振動で地下連壁の構築し、軟弱地盤への住宅建設を実現したものである。
【図面の簡単な説明】
【図１】本発明工法に使用する押入杭体の説明図。
【図２】同押入杭体の押入工事の説明図。
【図３】同押入杭体の引き抜き工事の説明図。
【図４】同完成時の説明図。
【符号の説明】
１        押入杭体
１１      杭本体
１２      供給管
１３      連結部
１４      放出口
２        ガイド
３        ウエイト
４        機体
５        ウインチ
６        コンプレッサー
７        コンクリートポンプ
【図１】
2004324070.tif 000003
【図２】
2004324070.tif 000004
【図３】
2004324070.tif 000005
【図４】
2004324070.tif 000006